(57)【要約】  テーブルが、床面上に支持するために平行に且つ横方向に離間した関係で配置される２つの端部脚部材を有する。２つの側部レール部材が、平行に且つ横方向に離間した関係で配置され、端部脚部材の上側部分を直立した向きで保持するようにこれらと接続されて、側部レール部材間に中間ブレースを伴わずに、垂直方向に延びる中央の窓がある状態で自立型のテーブルフレームを画定する。上部支持部材が、側部レール部材と接続されて、そこから片持ち梁式に外方に突出する。上部部材が、テーブルフレーム及び上部支持部材上に支持されると共にこれらと接続されて、複数の作業ステーションを画定する。ユーティリティを送るように構成されるユーティリティモジュールが、テーブルフレームの窓内に位置付けられ、ユーティリティモジュールをテーブルフレームに取り外し可能に取り付けることによって作業ステーションにおいて異なるユーティリティ要件に対応するように側部レール部材に当接して支持された対向する側面を有する。
2010528721.tif 000002
【特許請求の範囲】
【請求項１】
オフィス等のためのテーブルであって、
概して平行に且つ横方向に離間した関係で配置されると共に概して直立した向きで床面上に当接して支持されるように構成された第１の端部脚部材及び第２の端部脚部材と、
第１の側部レール部材及び第２の側部レール部材であって、概して平行に且つ横方向に離間した関係で配置されると共に、前記第１の端部脚部材及び前記第２の端部脚部材を前記概して直立した向きで剛性保持するように、該第１の端部脚部材及び該第２の端部脚部材の上側部分と動作可能に接続された対向する端部部分を有し、前記第１の側部レール部材と前記第２の側部レール部材との間に中間ブレースを伴わずに、垂直方向に延びる中央の窓がある状態で、堅い自立型のテーブルフレームを画定する、第１の側部レール部材及び第２の側部レール部材と、
前記第１の側部レール部材及び前記第２の側部レール部材と動作可能に接続されると共に、そこから片持ち梁式に外方に突出する複数の上部支持部材と、
前記テーブルに沿って複数の作業ステーションを画定するように、前記テーブルフレーム及び前記上部支持部材の少なくとも一方の上に支持されると共にこれらと動作可能に接続される上部部材と、
ユーティリティモジュール部材であって、前記作業ステーションへユーティリティを送りやすくするように構成されており、前記テーブルフレームの前記窓内に位置付けられ、且つ前記ユーティリティモジュール部材を前記テーブルフレームに取り外し可能に取り付けることによって前記作業ステーションにおいて様々な異なるユーティリティ要件に対応するように前記第１の側部レール部材及び前記第２の側部レール部材に当接して支持された対向する側面を有するユーティリティモジュール部材と
を備えるテーブル。
【請求項２】
前記ユーティリティモジュール部材は、前記第１の側部レール部材及び前記第２の側部レール部材の内側部分間に架かると共に前記ユーティリティモジュール部材に沿って長手方向に延びるレースウェイを含む少なくとも１つのトラフ部材を含む、請求項１に記載のテーブル。
【請求項３】
前記第１の側部レール部材及び前記第２の側部レール部材は、該第１の側部レール部材及び該第２の側部レール部材の内側部分に沿って延びる内方に突出したレッジを含み、該レッジは前記トラフ部材の前記側面部分を当接して且つ取り外し可能に支持する、請求項１に記載のテーブル。
【請求項４】
前記トラフ部材は、内部に様々なアクセサリを着脱可能に取り付けて前記作業ステーションを個人仕様にするように構成された少なくとも１つの上が開いたチャネルを含む、請求項１に記載のテーブル。
【請求項５】
前記上部部材は、内縁部が前記テーブルフレームの前記窓に沿って配置された複数のパネルを含む、請求項１に記載のテーブル。
【請求項６】
前記トラフ部材に接続されると共に該トラフ部材を前記第１の側部レール部材及び前記第２の側部レール部材に対して定位置に、確実に、なお且つ着脱可能に保持する少なくとも１つの取り外し可能な締結具を含む、請求項１に記載のテーブル。
【請求項７】
前記トラフ部材内に収納及び保持された少なくとも１つの電力モジュールを含む、請求項１に記載のテーブル。
【請求項８】
前記トラフ部材内に収納及び保持された少なくとも１つの通信モジュールを含む、請求項１に記載のテーブル。
【請求項９】
前記上部支持部材は、前記第１の側部レール部材及び前記第２の側部レール部材の外側部分に接続されると共にそこから外方に延びる、請求項１に記載のテーブル。
【請求項１０】
前記上部支持部材は、前記第１の側部レール部材及び前記第２の側部レール部材の外側部分と着脱可能に接続される、請求項１に記載のテーブル。
【請求項１１】
前記第１の側部レール部材及び前記第２の側部レール部材は、それらの外側部分に沿って、前記第１の側部レール部材及び前記第２の側部レール部材の上部部分に沿って延びる上が開いた第１のチャネルと、前記第１の側部レール部材及び前記第２の側部レール部材の底部部分に沿って延びる下が開いた第２のチャネルとを含み、
前記上部支持部材は、前記第１の側部レール部材及び前記第２の側部レール部材上の前記第１のチャネル及び前記第２のチャネル内に収納されて保持された第１のタブ及び第２のタブを含む、請求項１に記載のテーブル。
【請求項１２】
前記第１の側部レール部材及び前記第２の側部レール部材はそれぞれ、該第１の側部レール部材及び該第２の側部レール部材の内側部分に隣接して前記第１の側部レール部材及び前記第２の側部レール部材の上部部分に沿って延びる外方に開いたチャネルを含み、
前記上部部材は、内方に突出したタブを含み、該タブは、前記上部部材の内縁に沿って配置されると共に、前記上部部材の少なくとも一部を前記テーブルフレームに取り外し可能に接続するように前記外方に開いたチャネル内に密接して収納される、請求項１に記載のテーブル。
【請求項１３】
前記作業ステーションを装備するように構成された上側部分と、
前記トラフ部材に着脱可能に取り付けられた下側部分と
を有する複数のアクセサリを含む、請求項１に記載のテーブル。
【請求項１４】
前記トラフ部材は、一体型の中空箱型構造を有する、請求項１に記載のテーブル。
【請求項１５】
前記テーブルフレームの前記窓は、細長い平坦な構成を有しており、
前記モジュール部材は、前記作業ステーションにおける様々な異なるユーティリティ要件に対応するために前記ユーティリティモジュール部材を前記テーブルに容易に再配置しやくするように、異なるユーティリティ構成を有すると共に前記第１の側部レール部材及び前記第２の側部レール部材に端と端とが接した関係で着脱可能に支持された複数の同様な形状であるモジュール部材を含む、請求項１に記載のテーブル。
【請求項１６】
オフィス等のためのテーブルであって、
横方向に離間した関係で配置されると共に床面上に当接して支持されるように構成された第１の端部脚部材及び第２の端部脚部材と、
横方向に離間した関係で配置されると共にテーブルフレームを画定するように前記第１の端部脚部材及び前記第２の端部脚部材と動作可能に接続された対向する端部部分を有する第１の側部レール部材及び第２の側部レール部材であって、それぞれが、それらの内側部分に沿って内方に突出したレッジを含む第１の側部レール部材及び第２の側部レール部材と、
前記テーブルフレーム上に支持されると共にこれと動作可能に接続された上部部材と、
前記上部部材に沿って概して中央に位置付けられると共に異なるユーザに対応するために前記テーブルに取り外し可能に支持されるように前記第１の側部レール部材及び前記第２の側部レール部材の前記内方に突出したレッジに当接して支持された対向する側面を有するトラフ部材と
を備えるテーブル。
【請求項１７】
前記トラフ部材は、前記第１の側部レール部材及び前記第２の側部レール部材の前記内側部分間に架かり、該内側部分間に確実に捕捉される、請求項１６に記載のテーブル。
【請求項１８】
前記レッジは、前記第１の側部レール部材及び前記第２の側部レール部材の前記内側部分に沿って下方且つ内方に延びる角度付けしたフランジを含む、請求項１６に記載のテーブル。
【請求項１９】
前記トラフ部材は、角度付けした縁部を有する直立した側壁を含み、前記縁部は、前記第１のレール部材及び前記第２のレール部材の前記レッジと押込み噛み合いをして前記トラフ部材を前記テーブルフレームの前記窓内に横方向に捉える、請求項１６に記載のテーブル。
【請求項２０】
複数の締結具を含み、該締結具は、前記トラフ部材に取り付けられると共に、前記第１の側部レール部材及び前記第２の側部レール部材の隣接した部分に当接して係合して、前記トラフ部材を前記テーブルフレームの前記窓内に垂直方向に捕捉するように位置付けられる、請求項１６に記載のテーブル。
【請求項２１】
前記トラフ部材は、前記上部部材に沿って作業エリアを個人仕様にするために、様々なアクセサリを内部に着脱可能に取り付けるように構成された少なくとも１つの上が開いたチャネルを含む、請求項１６に記載のテーブル。
【請求項２２】
前記第１の側部レール部材及び前記第２の側部レール部材は、それらの外側部分に沿って、前記第１の側部レール部材及び前記第２の側部レール部材の上部部分に沿って延びる上が開いた第１のチャネルと、前記第１の側部レール部材及び前記第２の側部レール部材の底部部分に沿って延びる下が開いた第２のチャネルとを含み、
複数の上部支持部材は、該上部支持部材を前記第１の側部レール部材及び前記第２の側部レール部材に着脱可能に取り付けるように、該第１の側部レール部材及び該第２の側部レール部材上の前記第１のチャネル及び前記第２のチャネル内に収納されて保持される第１のタブ及び第２のタブを有する、請求項１６に記載のテーブル。
【請求項２３】
前記第１の側部レール部材及び前記第２の側部レール部材は、それらの前記内側部分に隣接して前記第１の側部レール部材及び前記第２の側部レール部材の上部部分に沿って延びる外方に開いたチャネルを含み、
前記上部部材は、その内縁に沿って配置されると共に該上部部材の少なくとも一部を前記テーブルフレームに取り外し可能に接続するように前記外方に開いたチャネル内に密接して収納される内方に突出したタブを含む、請求項１６に記載のテーブル。
【請求項２４】
前記第１の側部レール部材及び前記第２の側部レール部材は、概して中空の内部を有し、前記第１の側部レール部材及び前記第２の側部レール部材の前記対向する端部部分を前記第１の端部脚部材及び前記第２の端部脚部材に取り付けやすくするように、前記第１の側部レール部材及び前記第２の側部レール部材の前記内側部分に沿って延びる少なくとも１つの位置合わせチャネルを含む、請求項１６に記載のテーブル。
【請求項２５】
横方向に離間した関係で配置される第１の端部脚部材及び第２の端部脚部材と、
上部部材を支持する堅いテーブルフレームを画定するように、対向する端部部分が前記第１の端部脚部材及び前記第２の端部脚部材と動作可能に接続された状態で横方向に離間した関係で配置される第１の側部レール部材及び第２の側部レール部材と
を有するタイプのテーブルであって、
前記第１の端部脚部材及び前記第２の端部脚部材の少なくとも一方を画定するモジュラー脚アセンブリの改良は、
関連付けられた床面上に当接して支持するように構成された上側部分及び下側部分をそれぞれが有する第１の脚部材及び第２の脚部材と、
横方向に離間した関係で前記第１の脚部材及び前記第２の脚部材を保持するように、該第１の脚部材及び該第２の脚部材と動作可能に接続された対向する端部を有する端部レール部材と、
前記上部部材を支持するように構成された外側部分と、三方コネクタブロックを有する内側部分とを有する第１の上部支持アーム及び第２の上部支持アームであって、該三方コネクタブロックは、概して下方に延びると共に前記第１の脚部材及び前記第２の脚部材の前記上側部分と着脱可能に接続された第１のコネクタと、概して内方に延びると共に前記第１の側部レール部材及び前記第２の側部レール部材の前記対向する端部に着脱可能に接続された第２のコネクタと、前記第１のコネクタ及び前記第２のコネクタに対して所定の角度を成して概して横方向に延びる共に前記端部レールの前記対向する端部と着脱可能に接続された第３のコネクタとを有する第１の上部支持アーム及び第２の上部支持アームと
を備えることであるテーブル。
【請求項２６】
前記第１の脚部材及び前記第２の脚部材は、互換性があるように、実質的に同一の形状、サイズ、及び構造を有する、請求項２５に記載のテーブル。
【請求項２７】
前記第１の脚部材及び前記第２の脚部材は、ワイヤを通して送りやすくするために、前記第１の脚部材及び前記第２の脚部材に沿って長手方向に延びる内側レースウェイを含む、請求項２５に記載のテーブル。
【請求項２８】
前記端部レール部材は、その内部に、前記第１の脚部材及び前記第２の脚部材内の前記内側レースウェイと連通する内側レースウェイを含む、請求項２７に記載のテーブル。
【請求項２９】
前記コネクタブロックと接続された第１のスペーサ及び第２のスペーサを含み、
該第１のスペーサ及び該第２のスペーサは、外方に延びるタブを含み、
該タブは、前記第１の側部レール部材及び前記第２の側部レール部材と、前記第１の端部脚部材及び前記第２の端部脚部材とを確実に位置合わせするように、前記第１の側部レール部材及び前記第２の側部レール部材の前記対向する端部に係合する、請求項２５に記載のテーブル。
【請求項３０】
前記コネクタブロックのうちの関連付けられた１つのコネクタブロックの外側部分を包む少なくとも１つのカバーを含む、請求項２５に記載のテーブル。
【請求項３１】
前記第１の側部レール部材及び前記第２の側部レール部材に支持されると共にそれらの長手方向に沿って延びるレースウェイを含む少なくとも１つのトラフ部材を含む、請求項２５に記載のテーブル。
【請求項３２】
前記上部部材に隣接して配置された少なくとも１つの電力モジュールを含む、請求項２５に記載のテーブル。
【請求項３３】
オフィス等のためのテーブルであって、
横方向に離間した関係で配置されると共に床面上に当接して支持されるように構成された第１の端部脚部材及び第２の端部脚部材と、
横方向に離間した関係で配置されると共にテーブルフレームを画定するように前記第１の端部脚部材及び前記第２の端部脚部材と動作可能に接続された対向する端部部分を有する第１の側部レール部材及び第２の側部レール部材であって、それぞれが、それらの上部部分に沿って延びる外方に開いたチャネルを含む第１の側部レール部材及び第２の側部レール部材と、
前記テーブルに支持された上部部材であって、その内縁に沿って配置された内方に突出したタブを有すると共に前記上部部材の少なくとも一部を前記テーブルフレームに取り外し可能に接続するように前記チャネル内に密接して収納された上部部材と
を備えるテーブル。
【請求項３４】
外側部分に沿って前記第１の側部レール部材及び前記第２の側部レール部材に動作可能に接続されると共にそこから片持ち梁式に外方に突出する複数の上部支持部材と、
前記上部部材と前記上部支持部材とを接続させて前記チャネル内に前記タブを確実に保持する複数のコネクタと
を含む請求項３３に記載のテーブル。
【請求項３５】
前記タブは、概してフック型であり、前記上部部材の内縁に沿って配置される、請求項３４に記載のテーブル。
【請求項３６】
前記コネクタは、前記上部部材の中間部分に隣接して位置付けられる、請求項３５に記載のテーブル。
【請求項３７】
前記上部部材は、前記第１の側部レール部材及び前記第２の側部レール部材に沿って配置された内縁を有する複数のパネルを含む、請求項３６に記載のテーブル。
【請求項３８】
前記上部部材のパネルは、異なる平面形状を形成するように、前記テーブルフレーム上に配置されるように構成される、請求項３７に記載のテーブル。
【請求項３９】
前記上部部材のパネルは、少なくとも１つの概して透明な上部部材のパネルを含む、請求項３８に記載のテーブル。
【請求項４０】
前記タブは、概してフック型であり、前記上部部材の内縁に沿って配置される、請求項３３に記載のテーブル。
【請求項４１】
前記上部部材は、前記第１の側部レール部材及び前記第２の側部レール部材に沿って配置された内縁を有する複数のパネルを含む、請求項３３に記載のテーブル。
【請求項４２】
前記上部部材のパネルは、異なる平面形状を形成するように、前記テーブルフレーム上に配置されるように構成される、請求項４１に記載のテーブル。
【請求項４３】
前記上部部材は、少なくとも１つの概して透明な上部部材のパネルを含む、請求項３３に記載のテーブル。
【発明の詳細な説明】
【技術分野】
【０００１】
本発明は、オープンオフィススペース及び他の同様の環境のための備品に関し、特に、そのためのテーブル構造に関する。
【０００２】
［関連出願の相互参照］
本願は、２００７年６月１日に出願された「テーブル構造」と題する米国仮特許出願第６０／９４１，４１１号の利益を主張し、該仮特許出願は、その全体が参照により本明細書に援用される。
【背景技術】
【０００３】
例えば会議用テーブル、図書館の机、トレーダーデスク等に用いられる、細長いテーブル及び作業表面は、概ね当該技術分野でよく知られている。より最近では、このようなテーブルには、該テーブル上で使用するコンピュータ、電話、ビデオ機器、及び他の同様の電子機器をサポートするための電力及びデータのような選択されたユーティリティが備わっている。好ましくは、電力及びデータのポート又は接続部は、ユーザがコンピュータ又は同様の電子機器で作業するときにアクセスしやすいように、テーブルに沿って位置付けられている。このような従来のテーブルは、概ね実際に役立つものではあるが特に適合性があるわけではなく、異なるニーズ及び／又はユーザに応えるように、構成変更又は拡張を容易に行うことができない。
【０００４】
変わりゆく技術及び作業プロセスは、変わり続けるワーカーのニーズを効率的にサポートするために、現用のオフィス備品が容易に適合可能であることを必要とする。したがって、これらのニーズに応えるには、作業表面システムが迅速且つ容易に構成変更可能であることが望ましい。このようなオフィス備品に対するより最近の課題は、ホテリング（ここでは多くの移動する従業員（mobile staffers）が、オフィスを固定的に割り当てられるのではなく、自身が作業を行う様々な場所での共有スペースを予約する）の利用の増加によって生じている。これらの一時滞在型ワーカー（transient worker）は、効率良く有効に仕事をするために、共有の作業スペースに、よりいっそうの適合性があることを求める。したがって、複数の一時滞在型ワーカーを最小限のフロアスペースによって費用効率的にサポートすることのできるオフィス備品は、特に、該オフィス備品を容易に適合させると共に構成変更して様々な作業ステーションのそれぞれにおいて重要なユーティリティを提供することができる場合に、非常に有益である。
【発明の概要】
【０００５】
本発明の１つの態様は、概して平行に且つ横方向に離間した関係であると共に概して直立した向きで床面上に支持されるように構成された、第１の脚部材及び第２の脚部材を有する、オフィス等のためのテーブルである。第１の側部レール部材及び第２の側部レール部材は、概して平行に且つ横方向に離間した関係で配置されると共に、第１の脚部材及び第２の脚部材を概して直立した向きで堅く保持してテーブルフレームを画定するように、第１の脚部材及び第２の脚部材の上側部分に接続された対向する端部部分を有する。テーブルフレームは、第１の側部レール部材と第２の側部レール部材との間に中間ブレースを伴わない堅い自立型であるため、第１の側部レール部材と第２の側部レール部材との間に配置された垂直方向に延びる中央の窓を形成する。複数の上部支持部材が、第１の側部レール部材及び第２の側部レール部材に接続されると共に、そこから片持ち梁式に外方に突出する。テーブルに沿って複数の作業ステーションを画定する上部部材が、上部支持部材及びテーブルフレームによって支持される。ユーティリティモジュール部材は、異なる作業ステーションへユーティリティを送りやすくするように構成されており、テーブルフレームの窓内に位置付けられ、且つユーティリティモジュール部材をテーブルフレームに取り外し可能に取り付けることによって、異なる作業ステーションにおいて様々な異なるユーティリティ要件に対応するように、第１の側部レール部材及び第２の側部レール部材によって当接して支持される。
【０００６】
本発明の別の態様は、横方向に離間した関係で配置されると共に床面上に支持されるように構成された、第１の端部脚部材及び第２の端部脚部材を有する、オフィス等のためのテーブルである。第１の側部レール部材及び第２の側部レール部材は、横方向に離間した関係で配置されると共に、テーブルフレームを画定するように第１の端部脚部材及び第２の端部脚部材に接続された対向する端部部分を有する。第１の側部レール部材及び第２の側部レール部材は、それらの内側部分に沿って内方に突出するレッジを含む。上部部材は、テーブルフレーム上に支持されると共にテーブルフレームに接続される。トラフ部材は、上部部材に沿って概して中央に位置付けられると共に、異なるユーザに対応するためにトラフ部材をテーブルに取り外し可能に支持するように、第１の側部レール部材及び第２の側部レール部材の内方に突出するレッジに当接して支持された対向する側面を含む。
【０００７】
本発明のさらに別の態様は、横方向に離間した関係で配置されると共に床面上に支持されるように構成された、第１の端部脚部材及び第２の端部脚部材を有する、オフィス等のためのテーブルである。第１の側部レール部材及び第２の側部レール部材は、横方向に離間した関係で配置されると共に、テーブルフレームを画定するように第１の端部脚部材及び第２の端部脚部材に接続された対向する端部部分を有する。第１の側部レール部材及び第２の側部レール部材は、それらの内側部分に沿って延びる内方に突出したレッジを含む。上部部材は、テーブルフレーム上に支持されると共にテーブルフレームに接続される。トラフ部材は、上部部材に沿って概して中央に位置付けられると共に、第１の側部レール部材及び第２の側部レール部材の内方に突出するレッジに当接して支持された対向する側面を含む。トラフ部材は、上記上部部材に沿って作業エリアを個人仕様にするように様々なアクセサリを内部に着脱可能に取り付けるように構成された少なくとも１つの上が開いたチャネルを含む。
【０００８】
本発明のさらに別の態様は、横方向に離間した関係で配置された第１の端部脚部材及び第２の端部脚部材と、上部部材を支持する堅いテーブルフレームを画定するように、端部部分が第１の端部脚部材及び第２の端部脚部材に接続された状態で横方向に離間した関係で配置された第１の側部レール部材及び第２の側部レール部材とを有するテーブルである。第１の端部脚部材及び第２の端部脚部材の少なくとも一方を画定するモジュラー脚アセンブリは、床面上に当接して支持するように構成された上側部分及び下側部分を含む。端部レール部材は、横方向に離間した関係で第１の脚部材及び第２の脚部材を保持するように、これらの脚部材と動作可能に接続された対向する端部を有する。第１の上部支持アーム及び第２の上部支持アームは、上部部材を支持するように構成された外側部分と、三方コネクタブロックを有する内側部分とを有しており、三方コネクタブロックは、概して下方に延びると共に第１の脚部材及び第２の脚部材の上側部分に着脱可能に接続された第１のコネクタと、概して内方に延びると共に第１の側部レール部材及び第２の側部レール部材の対向する端部に着脱可能に接続された第２のコネクタと、第１のコネクタ及び第２のコネクタに対して所定の角度を成して概して横方向に延びると共に端部レールの対向する端部と着脱可能に接続された第３のコネクタとを有する。
【０００９】
本発明のさらに別の態様は、横方向に離間した関係で配置されると共に、床面上に支持されるように構成された、第１の端部脚部材及び第２の端部脚部材を有する、オフィス等のためのテーブルである。第１の側部レール部材及び第２の側部レール部材は、横方向に離間した関係で配置されると共に、テーブルフレームを画定するように第１の端部脚部材及び第２の端部脚部材に接続された対向する端部部分を含む。第１の側部レール部材及び第２の側部レール部材は、それらの上部部分に沿って延びる外方に開いたチャネルを含む。上部部材は、テーブルに支持されると共に、上部部材の内縁に沿って配置された内方に突出するタブを含み、このタブは、上部部材の少なくとも一部をテーブルフレームに取り外し可能に接続するように側部レールの外方に開いたチャネル内に密接して収納される。
【００１０】
本発明のさらに別の態様は、テーブルに沿って離間された複数の作業ステーションをカスタマイズするように容易に取り外すことができると共に任意の数のアクセサリを支持するようになっているユーティリティトラフに係合する側部レールを有する、細長いテーブルである。ユーティリティトラフは、テーブルフレームに堅く固定されるが、作業ステーションをカスタマイズするために容易に取り外される。ユーティリティトラフはまた、継ぎ目のない、一続きで見た目が美しい作業表面を維持したまま、電力、データ等を異なる作業ステーションに供給するようになっている。
【００１１】
本発明のこれらの並びに他の特徴、利点、及び目的は、以下の明細書、特許請求の範囲、及び添付の図面を検討すると、当業者によってさらに理解及び認識されるであろう。
【図面の簡単な説明】
【００１２】
【図１】本発明を具現するテーブルの分解斜視図である。
【図２】テーブルアクセサリを含む、本発明の別の実施形態の斜視図である。
【図３】対向する脚を接続する端部レールと上部支持部材とを含む、テーブルの端部脚部分の斜視図である。
【図４】脚の分解斜視図である。
【図５】脚の立面図である。
【図６】脚の後部斜視図である。
【図７】上部支持部材の右手側部分斜視図である。
【図８】上部支持部材の左手側分解斜視図である。
【図９】上部支持部材の側部立面図である。
【図１０】上部支持部材の底部立面図である。
【図１１】上部支持部材の後部部分斜視図である。
【図１２】脚部材の分解部分斜視図である。
【図１３】ワイヤ管理経路を示す、脚部材の断面側部立面図である。
【図１４】ワイヤ管理経路を示す、脚部材の部分斜視図である。
【図１５】端部レールの部分後部斜視図である。
【図１６】端部レールの部分後部立面図である。
【図１７】図１５の線ＸＶ−ＸＶに沿った端部レールの断面図である。
【図１８】端部レールの部分上部平面図である。
【図１９】端部レールの部分底部平面図である。
【図１９Ａ】コーナーカバー、締結具、及びスペーサを含む、端部脚の部分分解斜視図である。
【図１９Ｂ】コーナーカバー、締結具、及びスペーサを含む、端部脚の部分分解斜視図である。
【図２０】コーナーカバー、締結具、及びスペーサを含む、端部脚の部分分解斜視図である。
【図２１】端部脚の部分側部立面図である。
【図２２】スペーサの斜視図である。
【図２３】コーナーカバーの斜視図である。
【図２４】端部脚の端面立面図である。
【図２５】端部脚の端面立面図である。
【図２６】側部レールの部分斜視端面図である。
【図２７】側部レールの部分後部斜視図である。
【図２８】図２６の線ＸＸＶＩＩＩ−ＸＸＶＩＩＩに沿った、側部レールの断面図である。
【図２９】側部レールの部分上部立面図である。
【図３０】側部レールの部分底部立面図である。
【図３１】上部支持部材の上部立面図である。
【図３２】上部支持部材の分解側部立面図である。
【図３３】上部支持部材の前部立面図である。
【図３４】上部支持部材の斜視図である。
【図３５】側部レールに接続されて示されている、上部支持部材の斜視図である。
【図３６】テーブルフレームの斜視図である。
【図３７】テーブルフレームの底部平面図である。
【図３８】上部部材を支持した状態で示されている、テーブルフレームの部分底部斜視図である。
【図３９】テーブルの上部平面図である。
【図４０】上部部材の部分側部立面図である。
【図４１】上部部材の部分側部立面図である。
【図４２】側部レールに接続されて示されている、上部部材の部分立面図である。
【図４３】トラフ部材の部分分解斜視図である。
【図４４】トラフ部材の端面立面図である。
【図４４Ａ】電力モジュールブラケットの部分斜視図である。
【図４４Ｂ】電力モジュールの部分分解斜視図である。
【図４４Ｃ】電力モジュールブラケット及び電力モジュールの端面立面図である。
【図４４Ｄ】電力モジュールブラケット及び電力モジュールの部分斜視図である。
【図４５】側部レールに支持されているトラフ部材の部分斜視図である。
【図４６】トラフ部材及び側部レールの側部立面図である。
【図４７】トラフ部材及び側部レールの部分斜視図である。
【図４８】トラフ部材及び側部レールの端面立面図である。
【図４９】トラフ部材及び側部レールの部分端面立面図である。
【図５０】本発明の別の実施形態のテーブルフレーム及びトラフ部材の部分上部斜視図である。
【図５１】本発明の別の実施形態のトラフ部材、側部レール、及び上部部材の部分端面立面図である。
【図５２】本発明の別の実施形態の分解図である。
【図５３】図５２に示されるテーブルの斜視図である。
【図５４Ａ】図５２及び図５３に示されるテーブルの上部支持部の分解斜視図である。
【図５４】図５４Ａに示される上部支持部材の分解斜視図である。
【図５５】図５２〜図５４に示されるテーブルの部分底部斜視図である。
【図５６】本発明の別の実施形態のテーブルフレーム部分の斜視図である。
【図５７】図５６に示されるテーブルフレームの上部立面図である。
【図５８】本発明のさらに別の実施形態の斜視図である。
【図５９】本発明のさらに別の実施形態の斜視図である。
【図６０】本発明のさらに別の実施形態の斜視図である。
【図６１】本発明のさらに別の実施形態の斜視図である。
【図６２】本発明のさらに別の実施形態の斜視図である。
【図６３】本発明のさらに別の実施形態の斜視図である。
【図６４】本発明のさらに別の実施形態の斜視図である。
【図６５】本発明のさらに別の実施形態の斜視図である。
【図６６】本発明のさらに別の実施形態の斜視図である。
【図６７】本発明のさらに別の実施形態の斜視図である。
【図６８】本発明のさらに別の実施形態の斜視図である。
【図６９】本発明のさらに別の実施形態の斜視図である。
【図７０】本発明のさらに別の実施形態の斜視図である。
【図７１】本発明のさらに別の実施形態の斜視図である。
【図７２】本発明のさらに別の実施形態の斜視図である。
【図７３】本発明の別の実施形態に用いられる脚の斜視図である。
【発明を実施するための形態】
【００１３】
本明細書における記載のため、用語「上側」、「下側」、「右」、「左」、「後部」、「前部」、「垂直」、「水平」、及びそれらの派生語は、図１において配向されているような本発明に関するものとする。しかしながら、本発明は、明らかに異なって明記される場合を除いて、様々な代替的な向きをとることができることを理解されたい。添付の図面に例示され、以下の明細書に記載される特殊な装置及びプロセスは、例示的な実施形態にすぎないことも理解されたい。したがって、本明細書に開示される実施形態に関する特定の寸法及び他の物理的な特徴は、別段明言されない限り、限定するものとして解釈されるものではない。
【００１４】
参照符号２（図１及び図２）は、全体的に、概して平行に且つ横方向に離間した関係で配置されている第１の端部脚部材３及び第２の端部脚部材４を含む、オフィス等のためのテーブルを示している。第１の端部脚部材３及び第２の端部脚部材４は、概して直立した向きで床面上に当接して支持されるように構成されている。第１の側部レール部材５及び第２の側部レール部材６は、概して平行に且つ横方向に離間した関係で配置されており、第１の端部脚部材３及び第２の端部脚部材４を概して直立した向きで堅く保持するように第１の端部脚部材３及び第２の端部脚部材４の上側部分に接続されることによって、第１の側部レール部材５と第２の側部レール部材６との間に中間ブレースを伴わずに、垂直方向に延びる中央の窓８（図３６及び図３７）が第１の側部レール部材５と第２の側部レール部材６との間に配置されている状態で、堅い自立型のテーブルフレーム７を画定している。複数の上部支持部材９が、第１の側部レール部材５及び第２の側部レール部材６に動作可能に接続されて、そこから片持ち梁式に外方に突出している。上部部材１０が、テーブルフレーム７及び上部支持部材９上に支持されると共にこれらに動作可能に接続されて、テーブル２に沿って複数の作業ステーション１０ａ〜１０ｃを画定している。ユーティリティモジュール部材１１が、テーブル２の異なる作業ステーション１０ａ〜１０ｃにユーティリティを送りやすくするように構成されており、テーブルフレーム７の窓８内に位置付けられている。ユーティリティモジュール部材１１は、ユーティリティモジュール部材１１をテーブルフレーム７に取り外し可能に取り付けることによって、作業ステーション１０ａ〜１０ｃにおける様々な異なるユーティリティ要件に対応するように、第１の側部レール部材５及び第２の側部レール部材６に当接して支持された対向する側面を有している。１つのそのような例示モデルが、２００７年６月１日に出願された、「ツインビームテーブルデザイン」と題する米国特許出願第２９／２８８，１９２号に見ることができ、その全体が参照により本明細書に援用される。
【００１５】
本発明の１つの実施形態では、テーブルフレーム７の窓８は、図３７に示される例のような細長い平面構成を有している。ユーティリティモジュール部材１１は、窓８内に配置され、多種多様なアクセサリをテーブル２上の異なる場所で支持して作業ステーション１０ａ〜１０ｃをカスタマイズすることができる。図２に示される例では、テーブル２は、ユーティリティモジュール部材１１に着脱可能に取り付けられた棚板アクセサリ１３を含んでいる。図２に示されるテーブル２は、ユーティリティモジュール部材１１に着脱可能に取り付けられた作業ライト１４も含んでいる。
【００１６】
図３〜図６並びに図２４及び図２５に示される例では、第１の端部脚部材３及び第２の端部脚部材４は、第１の側部レール部材５及び第２の側部レール部材６の対向する端部に相互接続され、第１の側部レール部材５及び第２の側部レール部材６は、所定の距離だけ横方向に離間している。第１の端部脚部材３及び第２の端部脚部材４はそれぞれ、実質的に同一の構成であり、関連付けられた床面上にテーブル２を当接して支持するようになっている下側端部１６と、三方コネクタブロック１８に接続された上側端部１７とを有する角度付けした脚部材１５を含んでいる。脚部材１５は、互換性があるように実質的に同一の中空構造を有しており、アルミニウム等から押し出し成形されるのが好ましい。図３に示される例では、中空の端部レール部材１９が、横方向に離間した関係で脚部材１５を保持するように、三方コネクタブロック１８において脚部材１５間に動作可能に相互接続された対向する端部を含んでいる。図５に示される例では、脚部材１５の下側部分１６は、脚部材１５を床面上に当接して支持するすべり金具２０を受け入れるようになっている。図４に示される例では、脚部材１５の上側端部１７は、開口２４及び２６を有する上面２５を含んでいる。開口２４は、脚部材１５を三方コネクタブロック１８に接続するための締結点としての役割を果たし、その一方で開口２６は、ケーブルを脚部材１５を通じて送るのに用いられる。図４及び図６に示される例では、脚部材１５は中空であると共にカバー２１を含み、カバー２１は、締結具２２によって脚部材１５に取り付けられて、脚部材１５の内側に面した壁を形成している。脚部材１５は、脚を堅く支持するのを助けると共にワイヤ、データ、及び他の同様のケーブルを脚の中空のレースウェイ部分を通して送ることを可能にする一連のレール、すなわち補剛材２３を含んでいる。図３に示された例に示されるように、第１の端部脚部材３及び第２の端部脚部材４は、これらから外方に延びる上部支持アーム２７も含んでいる。図２４は、組み立てられた第１の端部脚部材３の外側図を示しており、図２５は、組み立てられた第２の端部脚部材４の内側図を示している。
【００１７】
図７〜図１２に示される例では、第１の端部脚部材３及び第２の端部脚部材４から延びる上部支持アーム２７は、上部部材１０に接触してこれを支持するように構成された外側部分２８（図８）と、三方コネクタブロック１８を有する内側部分２９（図７）とを含む概して三角形の側部立面構成（図９）を有している。上部支持アーム２７は、上部部材１０をテーブルフレーム７に着脱可能に固定するために、開口３１において、上部支持アーム２７の外側部分２８に取り付けられた穿孔されたコネクタプレート３０を有している。上部支持アーム２７は、開口３１において、穿孔されたコネクタプレート３０を通じて上部部材１０及び１０’に接続させる締結具３０ａによって、上部部材１０及び１０’に着脱可能に接続されている。穿孔されたコネクタプレートは、上部支持アーム２７の開口３１と位置合わせした開口３０’を有している。穿孔されたコネクタプレートは、コネクタプレート３０を上部部材１０に接続するのに用いられると共に位置合わせされた開口３０’’を有している。穿孔されたコネクタプレート３０は、開口３０’間に配置された下方に延びる円形フランジ１２２をさらに含み、円形フランジ１２２は、上部支持アーム２７の上面にある開口３１'に係合して、穿孔されたコネクタプレート３０を上部支持アーム２７との適切な位置合わせを確実にするガイドとしての役割を果たす。
【００１８】
上部支持アーム２７の三方コネクタブロック１８は、開口３５及び３５’を通じて概して下方に延びると共に開口２４において第１の脚部材１５及び第２の脚部材１５の上側部分１７に着脱可能に接続する第１のコネクタ３２及び３２’と、開口３６を通じて概して内方に延びると共に第１の側部レール部材５及び第２の側部レール部材６の対向する端部に着脱可能に接続された第２のコネクタ３３と、三方コネクタブロック１８の内側に面した壁３８の開口３７を通じて第１のコネクタ３１及び第２のコネクタ３２に対して所定の角度を成して概して横方向に延びると共に端部レール部材１９の対向する端部に着脱可能に接続された第３のコネクタ３４とを含んでいる。図１９Ａに示された例に示されるように、第１のコネクタ３２’は、三方コネクタブロック１８の上部壁３９を貫通することによって三方コネクタブロック１８を開口２４において脚部材の上面２５に取り付けられるように構成された細長い締結具である。三方コネクタブロック１８は、組み立て後に三方コネクタブロックカバー４７に覆われる（図１２、図１４、及び図２３）。三方コネクタブロックカバー４７は、Ｌ字型クリップ４９付きの上面４８を有しており、Ｌ字型クリップ４９は、上部支持アーム２７の開口５１に係合する円筒フランジ５０を有している。三方コネクタブロックカバー４７は、三方コネクタブロック１８の外側部分を覆う外方に面した壁５２をさらに含んでいる。
【００１９】
図１４、図１９Ｂ、図２１、及び図２２に示される例では、スペーサ４５が、三方コネクタブロック１８と第１の側部レール部材５及び第２の側部レール部材６との間に配置されている。図２２に示された例に示されるように、スペーサ４５は、水平な上面４０と、垂直な端部面４１及び４２と、傾斜した底面４３とによって画定される概して三角形の構成を有している。図１４に示された例に示されるように、スペーサ４５は、三方コネクタブロック１８によって収納されて第２のコネクタ３３間で入れ子状態になるように構成されている。図２２に示される例では、スペーサ４５は、第２のコネクタ３３をスペーサ４５に通すことを可能にするように構成された半円開口４４を有している。スペーサ４５は、スペーサ４５の上面４０に配置された外方に延びるタブ、すなわちフランジ４６及び４６’を有している。本明細書により詳細に記載されるように、フランジ４６は、第１の端部脚部材３及び第２の端部脚部材４を第１の側部レール部材５及び第２の側部レール部材６と位置合わせするように、第１の側部レール部材５及び第２の側部レール部材６の内側に配置されたＴ字型チャネル５３に係合している。図１９Ｂ及び図２１に示される例では、フランジ４６’は、組み立ての際に三方コネクタブロック１８の上部壁３９に載るように構成されている。
【００２０】
図１３及び図１４に示される例では、第１の端部脚部材３及び第２の端部脚部材４はさらに、ケーブル、データ、電力等を、脚部材１５の上側端部１７において内側に面したカバー２１に位置している開口５７を介して、第１の端部脚部材３及び第２の端部脚部材４に通して送るようになっている。開口５７は、三方コネクタブロック１８の内方に面した壁３８にある開口５８と位置合わせするＵ字型の開口である。開口５８は、逆Ｕ字型の開口であり、開口５７と位置合わせされると完全な楕円形の開口５９を形成する。開口５９によって、ケーブル６０を中空の端部レール部材１９に通してから脚部材１５を通して床面まで下へ送ることができるようになる。
【００２１】
図１５〜図２０に示される例では、端部レール部材１９は、三方コネクタブロック１８間に配置され、中空の内側部分６４と実質的に同一の構造を有し、アルミニウム又は同様の材料から押し出し成形されるのが好ましい。各端部レール部材１９は、図１７に示された例に示されるような一対の水平方向に延びる側壁６５及び６６と、底部壁６７と、上部壁６８とによって画定されている。内側の側壁６６は、段下がり部６９及び下側湾曲部７０をさらに含んでいる。図１５、図１７、図１８、及び図１９に示された例に示されるように、一対の細長いチャネル、すなわち溝７１及び７２が、底部壁６７及び上部壁６８と側壁６５との交点に沿って形成され、端部レール部材１９の外縁に沿って複数の片持ち梁型の上部支持部材９を着脱可能に支持する働きをする。図１５に示された例に示されるように、上部壁６８は、端部レール部材１９の長さを延びるＵ字型のチャネル７５を形成するフランジ７４をさらに備えている。フランジ７４によって形成されたチャネル７５は、以下に詳細に記載する上部部材１０に係合するようになっている。端部レール部材１９は、内側の側壁６６の下側湾曲部７０から内方に延びる、棚板７６の形態のレースウェイも有している。図１６及び図１７に示された例に示されるように、棚板７６は、データ、電力、ケーブル、及び他の同様のワイヤの構成を、端部レール部材１９が覆うエリアを通して送るように構成されている。棚板７６は、端部レール部材１９の底部壁６７の一部を構成しており、ワイヤ及びケーブルを棚板７６上に保持するのを助けるために、上方に延びるフランジ７７をさらに含んでいる。組み立ての際、ワイヤの構成が、図２０に示された例に示されるような三方コネクタブロック１８と脚部材１５との交点において開口５９へアクセス可能となるように、棚板７６は、端部レール部材１９の底部壁６７上に位置付けられている。ケーブル及び他の同様のワイヤの構成を、（図示しない）電源コンセントへアクセスするために、開口５９へのアクセスによって、端部レール部材１９から脚部材１５を通じて床面へと送ることが可能になる。図１５及び図１９Ａに示された例に示されるように、端部レール部材１９は、三方コネクタブロック１８から締結具３４に係合する、端部レール部材１９の中空の内側部分６４内に配置された円形チャネル、すなわちボス７８も含んでいる。チャネル、すなわちボス７８のうちの２つは、外側の側壁６５から端部レール部材１９の内側部分６４内へ延びている。第３のチャネル、すなわちボス７８は、内側の側壁６６から端部レール部材１９の内側部分６４内へ延びている。図１９Ｂ及び図２０に示された例に示されるように、円形のチャネル、すなわちボス７８は、三方コネクタブロック１８間で端部レール部材１９を堅く保持し、さらに脚部材１５を横方向に離間した関係で保持するように締結具３４に着脱可能に係合している。
【００２２】
図２６〜図３０に示されるように、長手方向に延びる第１の側部レール部材５及び第２の側部レール部材６は、実質的に同一の中空構造を有しており、アルミニウム又は同様の材料から押し出し成形されるのが好ましい。図２６及び図２８に示された例に示されるように、第１の側部レール部材５及び第２の側部レール部材６はそれぞれ、一対の水平方向に延びる側壁９０及び９１と、傾斜して延びる底部壁９２と、上部壁９３とによって概して画定されている。図２７及び図２８に示される例では、第１の側部レール部材５及び第２の側部レール部材６の内側に面する側壁９０は、側壁９０に沿って下方且つ内方に延びる角度付けしたＪ字型のフランジ、すなわちレッジ９４を含み、約４５度の角度を有する上側部分９５と、内側の側壁９０から直角に突出する下側部分９６と、垂直面９４’とをさらに含んでいる。レッジ９４は、本明細書にさらに記載するように、ユーティリティモジュール部材１１を収納して支持するようになっている。図２８〜図３０に示される例では、一対の細長い垂直方向に配向されたチャネル、すなわち溝９７及び９８は、上部壁９３及び底部壁９２と外側に面する側壁９１との交点に沿って形成され、本明細書にさらに詳細に記載されるように、第１の側部レール部材５及び第２の側部レール部材６の外縁に沿って複数の片持ち梁型の上部支持部材９を着脱可能に支持する働きをする。図２８に示された例に示されるように、溝９７は上が開いた溝であり、一方で溝９８は下が開いた溝である。内側の溝９９が、内側の側壁９０と上部壁９３との交点に隣接して、第１の側部レール部材５及び第２の側部レール部材６の上部壁９３の内側側部に沿って設けられている。上部壁９３は、外方に開き水平方向に配向されたＵ字型のチャネル１０１を形成するフランジ１００をさらに備えており、チャネル１０１は、本明細書にさらに詳細に記載されるように、上部部材１０に係合するように構成されたビームの長さを延びている。図２８に示される例では、補剛材１０２及び１０３は、第１の側部レール部材５及び第２の側部レール部材６の中空の内側部分１０４内に位置し、第１の側部レール部材５及び第２の側部レール部材６を補強する働きをする。補剛材１０２は、第１の側部レール部材５及び第２の側部レール部材６の上部壁９３及び底部壁９２間に内部配置されている。補剛材１０３は、補剛材１０３と内側の側壁９０との間で下向きの角度を成して配置されている。図２６及び図２８に示される例では、第１の側部レール部材５及び第２の側部レール部材６は、第１の側部レール部材５及び第２の側部レール部材６の中空の内側部分１０４内に配置された複数の円形チャネル、すなわちボス１０５をさらに備えている。円形チャネル、すなわちボス１０５のうちの２つは、細長い溝９７及び９８に隣接して第１の側部レール部材５及び第２の側部レール部材６の中空の内側部分１０４内へ延びている。第３の円形チャネル、すなわちボス１０５は、補剛材１０２内に形成されている。円形チャネル、すなわちボス１００は、三方コネクタブロック１８から延びる第２のコネクタ３３に着脱可能に係合するように構成されている。
【００２３】
図２６及び図２８に示される例では、第１の側部レール部材５及び第２の側部レール部材６は、第１の側部レール部材５及び第２の側部レール部材６の上部壁９３から中空の内側部分１０４内へ配置された正方形の位置合わせチャネル５３をさらに含んでいる。正方形の位置合わせチャネル５３は、補剛材１０２から水平方向に延びるフランジ１０６と、上部壁９３から垂直方向に下方に延びるＬ字型のフランジ１０７とによって形成されている。正方形の位置合わせチャネル５３は、組み立ての際に、第１の側部レール部材５及び第２の側部レール部材６が第１の端部脚部材３及び第２の端部脚部材４と適切に位置合わせすることを確実にするのを助けるように、スペーサ４５のフランジ４６に係合する。
【００２４】
図３１〜図３５に示される例では、片持ち梁型の上部支持部材９は、水平の上面１１５と、垂直の端部面１１６と、角度付けした底面１１７とによって画定された、概して三角形の側部立面構成を有している。図３４に示された例に示されるように、片持ち梁型の上部支持部材９は、Ｌ字型クリップ１１８及び１２０を含んでいる。Ｌ字型クリップ１１８は、端部面１１６に隣接して上部支持部材９の上面１１５に取り付けられ、さらに、上部支持部材９を第１の側部レール部材５及び第２の側部レール部材６に片持ち梁式に支持するために、Ｌ字型クリップ１１８から垂直方向に下方に延びると共に第１の側部レール部材５及び第２の側部レール部材６の外縁において外側の溝９７に締め付けながら収納されて保持されるタブ、すなわちフランジ１１９を備えている。Ｌ字型クリップ１１８は、Ｌ字型クリップ１１８から下方に延びる円筒フランジ１２６を有する開口１２５（図３１）において、上部支持部材９の上面１１５に着脱可能に取り付けられている。Ｌ字型クリップ１２０は、端部面１１６に隣接して上部支持部材９の底面１１７から固定的に一体形成され、さらに、図３５に示された例に示されるように、上部支持部材９を第１の側部レール部材５及び第２の側部レール部材６に片持ち梁式に支持するために、Ｌ字型クリップ１２０から垂直方向に上方に延びると共に第１の側部レール部材５及び第２の側部レール部材６の外縁において外側の溝９８に締め付けながら収納されて保持されるタブ、すなわちフランジ１２１を備えている。図３４に示された例に示されるように、上部支持部材９はそれぞれ、上部部材１０及び１０’をテーブルフレーム７に着脱可能に固定するために、上部支持部材９の最も外側の端部に取り付けられる穿孔したコネクタプレート３０も含んでいる。上部支持部材９は、開口３１において、穿孔したコネクタプレート３０を通して上部部材１０及び１０’に接続させる締結具３０ａによって、上部部材１０及び１０’に着脱可能に接続されている。穿孔したコネクタプレート３０は、図３１に示された例に示されるように、上部支持部材９の上面１１５にある開口１２３において上部支持部材９に取り付けられている。図３２に示される例では、穿孔したコネクタプレート３０は、穿孔したコネクタプレート３０と上部支持部材９との適切な位置合わせを確実にするように、上部支持部材９の上面１１５にある開口１２４に係合するガイド１２２をさらに含んでいる。
【００２５】
図３８及び図３９に示される例では、上部部材１０及び１０’は、テーブルフレーム７に接続されており、上部支持部材９及び上部支持アーム２７上に支持されると共にそれらに接続されている。上部部材１０及び１０’は、図８及び図３４に示されるように、締結具３０ａによって上部支持部材９及び上部支持アーム２７に着脱可能に接続されている。さらに、図３９に示された例に示されるように、上部部材１０はそれぞれ、隣り合わせの関係で配置された複数の作業ステーション１０ａ〜１０ｃを形成するのに十分な長さを有しており、作業ステーション１０ａ〜１０ｃは、上部部材１０の外縁に沿ったいずれの場所でもアクセス可能である。図３８及び図３９の例は、４つの作業表面を示しているが、本発明は、一体型の作業表面を有するテーブル構造も意図している。
【００２６】
図４０〜図４２は、全体的に、上面１３０と、下面１３１と、内側側部１３２と、外側側部１３３とを有する上部部材１０を示している。図４０及び図４２は、上部部材１０の下面１３１と内側側部１３２との交点に近い下面１３１上にブラケット１３４を示している。ブラケット１３４は、上部部材１０の長さに沿って水平に延びるＺ字型ブラケットである。ブラケット１３４は、図４２に示された例に示されるように、第１の側部レール部材５及び第２の側部レール部材６の上部壁９３にあるフランジ１００によって形成されたチャネル１０１に係合するように設計されている。上部部材１０及び１０’はまた、第１の側部レール部材５及び第２の側部レール部材６と端部レール部材１９とに沿って様々な点に配置された上部支持部材９によって、並びに第１の端部脚部材３及び第２の端部脚部材４から延びる上部支持アーム２７によって、着脱可能に支持されている。
【００２７】
図４３及び図４４に示されるユーティリティモジュール部材１１は、様々なユーティリティを内部に取り付けるように構成されたトラフの形態である。図４４に示された例に示されるように、トラフ１１は、直立した外側側部１４７及び下面１４８によって概して画定された一体型の中空箱型構造を有している。図４３及び図４４に示されるように、トラフ１１は、トラフ１１の長さを長手方向に延びる複数の上が開いたチャネル、すなわちレースウェイをさらに含んでいる。
【００２８】
図４４及び図４６に示された例に示されるように、トラフ１１の直立した外側側部１４７は、第１の側部レール部材５及び第２の側部レール部材６の内側の側壁９０の突出したＪ字型のレッジ９４に対して、対応するＪ字型の角度を成して内方にテーパー状になっている。トラフ１１の外側側部１４７は、第１の側部レール部材５及び第２の側部レール部材６の内側の側壁９０の突出したＪ字型のレッジ９４の垂直面９４'に隣接して載る垂直面１４７'を有している。したがって、トラフ１１の外側側部１４７は、図４６に示された例に詳細に示されるように、第１の側部レール部材５及び第２の側部レール部材６のフランジ、すなわちレッジ９４と押込み噛み合いをするように形成されている。したがって、第１の側部レール部材５及び第２の側部レール部材６のレッジ９４は、第１の側部レール部材５及び第２の側部レール部材６間のテーブルフレーム７の窓８内にトラフ１１を横方向に捉えている。図４６に示される例では、トラフ１１は、締結具１５４及びワッシャ１５４'を収納するようになっているユーティリティモジュール部材１１の下面１４８の平坦な段下がり部１４８'に配置された下が開いたチャネル形状の締結具ボス１５３を含んでいる。（図４２、図４８、及び図４９にも示される）ワッシャ１５４'はそれぞれ、第１の側部レール部材５及び第２の側部レール部材６内にトラフ１１を確実に垂直方向に捉えるように、第１の側部レール部材５及び第２の側部レール部材６のレッジ９４の水平方向の下側部分９６と、トラフ１１の下面１４８の段下がり部１４８'とに重なる。上述したトラフ１１の嵌め取り付け（drop-into-place mounting）は、安定した支持をもたらしつつも、様々な技術的ニーズ及び用途に対応するように異なるユーティリティトラフの設計によってテーブルを容易に構成変更することを可能にするように、容易に着脱可能である。締結具１５４及びワッシャ１５４'は、トラフ１１を第１の側部レール部材５と第２の側部レール部材６との間に確実に捉える働きをしつつも、なおも他の用途のために、トラフ１１を容易に取り外すことが可能である。
【００２９】
図４４及び図４６に示される例では、トラフ１１の下面１４８は、下面１４８の最も外側の部分に配置された平坦な段下がり部１４８'を有している。トラフ１１の下面１４８は、平坦な段下がり部１４８'に向かって上方に延びる角度付けした部分１５０間に配置された平面１４９を有している。トラフ１１の下面１４８は、下面１４８の平面１４９から、電力チャネル１４３、１４４、１４５及びデータチャネル１４６の底面を形成する中間の補剛材１５２まで延びる補剛材１５１を有している。
【００３０】
図４４に示される例では、トラフ１１の上が開いたチャネルは、中央の電力チャネル１４３、外側の電力チャネル１４４及び１４５、データチャネル１４６として設計されている。図４３及び図４４に示される実施形態では、トラフ１１は、中央の電力チャネル１４３、２つの外側の電力チャネル１４４及び１４５、中央の電力チャネル１４３と外側の電力チャネル１４４及び１４５との間に配置された２つのデータチャネル１４６によって構成されている。データチャネル１４６は、トラフ１１沿った様々な点に、データ、電力等を供給するのに用いられる。電力チャネル１４３、１４４、１４５は、トラフ１１の長さを延びると共に電力モジュールブラケット１４１を保持するのに用いられるＬ字型のフランジ１５５’及び水平方向に延びるフランジ１５５’’によって形成された中央に配置されるＴ字型チャネル１５５をさらに含んでいる。中央の電力チャネル１４３は、２つの対向して面するＬ字型のフランジ１５５’によって形成されるＴ字型のチャネル１５５を含み、その一方で外側の電力チャネル１４４及び１４５は、Ｌ字型のフランジ１５５’及び水平方向に延びるフランジ１５５’’によって形成されるＴ字型のチャネル１５５を有している。図４４に示された例に示されるように、データチャネル１４６は、ユーザがデータ源及び電気通信源にアクセスすることができるようにするための通信モジュール、すなわちデータポート１６５を含んでもよい。図４４に示された例に示されるように、トラフ１１はまた、（図示しない）電力モジュール１４０を収納してもよい。電力チャネル及びデータチャネルを使用しないときには、取り外し可能なカバー１６６によってそれらを覆い、内部に収納され得る使わないチャネル及び配線を保護することができる。取り外し可能なカバー１６６は、上側部分１６７及び１６８を含んでいる。上側部分１６７は、電力チャネル１４３、１４４、１４５のような電力チャネルを覆っている。上側部分１６８は、データチャネル１４６のようなデータチャネルを覆うのに用いられている。図４３及び図４４に示された例に示されるように、取り外し可能なカバー１６６は、カバー１６６の上側部分１６７から下に延びる角度付けした下方向に突出する側部１６９及び１７０をさらに含んでいる。角度付けした下方向に突出する側部１６９及び１７０は、リビングヒンジとしての機能を果たし、図４４に示された例に示されるように、外側の電力チャネル１４４及び１４５のような使わない電力チャネル内へ下方向に延びている。トラフ１１の外側側部１４７は、カバー１６６の上側部分１６７に係合するように構成変更される外側側部１４７の上部に配置されたレッジ１７１を含んでいる。トラフ１１の外側側部１４７は、角度付けした下方向に突出する側部１６９及び１７０によって形成されたリビングヒンジを確実に捉えるフランジ１７２をさらに含んでいる。
【００３１】
図４４Ａに示される例では、電力モジュールブラケット１４１が、ユーティリティモジュール部材１１に沿った任意の場所において、電力チャネル１４３、１４４、１４５に係合するように構成されている。電力モジュールブラケット１４１は、図４６に示された例に示されるように、トラフ１１の電力チャネル１４３、１４４、１４５のＴ字型の中央のチャネル１５５に嵌まるように設計された概してＴ字型の底部部分１５６を含んでいる。電力モジュールブラケット１４１は、湾曲端部１５９を有する概して平らな平面１５８を有する上側部分１５７も含み、湾曲端部１５９は、図４４Ａに示されるようなＣ字型のチャネル１６０を全体的に形成するように構成されている。
【００３２】
様々なユーティリティを、電力チャネル１４３、１４４、１４５を含む様々な点において、トラフ１１に取り付けるように構成することができる。様々なユーティリティには、電力モジュール１４３、１４４、１４５のＴ字型の中央のチャネル１５５内に収納される電力モジュールブラケット１４１の底部部分１５６と同様のＴ字型の底部部分が含まれ得る。このようなアクセサリには、図２に示されるようなプライバシースクリーン、作業ライト１４、及び棚板アクセサリ１３を挙げることができるがこれらに限定されない。これらのアクセサリの多くは、電力モジュール１４３、１４４、１４５のＴ字型の中央のチャネル１５５による係合がなくてもトラフ部材に設置することができる。
【００３３】
図４４Ｂ〜図４４Ｄは、全体的に、本発明と共に用いることのできる電力モジュール１４０を示している。図４４Ｂは、電力モジュール１４０及び電力モジュールカバー１４２の分解図である。図４４Ｃ及び図４４Ｄは、電力モジュールブラケット１４１に接続された図４４Ｂの電力モジュールを示している。特に、図４４Ｃ及び図４４Ｄに示される例では、電力モジュール１４０は、電力モジュールブラケット１４１のＣ字型のチャネル１６０に係合することによって、電力モジュールブラケット１４１に接続される。本発明の一つの実施形態では、電力モジュール１４０は、図４４Ｂ〜図４４Ｄに示された例に示されるように、Ｅｕｂｉｑ（商標）によって市販されているようなリセスデータトラック（Recess Data Track）であるが、記載されるように、他の電力モジュールを本発明と共に用いることができることが意図されている。
【００３４】
図４５に示される例では、電源コンセント１８０が、トラフ１１の中央の電力チャネル１４３の電力モジュール１４０内へ差し込まれて示されている。図４７及び図４８に示される例では、トラフ１１は、電力チャネル１４４及び１４５がここでは電力モジュール１４０を含むと共に電源コンセント１８０がそれらの上に配置されるような異なる構成で示されている。したがってこの構成では、中央の電力チャネル１４３は、アクセサリの取り付け用に開いているか、又は取り外し可能なカバー１６６に覆われることになる。
【００３５】
参照符号２Ａ（図５０〜図５５）は、全体的に、本発明の別の実施の形態を示している。テーブル２Ａは、上述したテーブル２と同様であるため、図１、図２、図３８、及び図４２に見られる部品は、図５０〜図５５に見られる部品と同様である。したがって、同様の部品は、接尾辞「Ａ」がテーブル２Ａを定義する部品の符号に用いられることを除いて、対応する同じ参照符号によって表されている。図５２、図５３、及び図５５に示された例に示されるように、テーブル２Ａは、ガラス、プラスチック、又は他の同様の透明材から構成された上部部材１０Ａ及び１０Ａ’を含んでいる。図５０Ａ、図５４、及び図５４Ａに示される例では、上部支持部材９ＡはＬ字型クリップ１１８Ａを有しており、Ｌ字型クリップ１１８Ａは、端部面１１６Ａに隣接して上部支持部材９Ａの上面１１５Ａ及び底面１１７Ａに取り付けられると共に、上部支持部材９Ａを第１の側部レール部材５Ａ及び第２の側部レール部材６Ａに片持ち梁式に支持するように、第１の側部レール部材５Ａ及び第２の側部レール部材６Ａの外縁において、外側の溝９７Ａ及び９８Ａ内へ締め付けながら収納されている。上部支持部材９Ａの上面１１５ＡにあるＬ字型クリップ１１８Ａは、上部部材１０Ａを接着させるか又はガラスの上部部材１０Ａを定位置に摩擦保持するための接点として働くパッド１９０を含んでいる。各上部支持部材９Ａはまた、ブラケット１９１と、パッドブラケット１９２と、パッド１９０とを含み、これらは、上部支持部材９Ａの上面１１５Ａの最も外側の部分に配置されている。パッド１９０は、組み立ての際に、上部部材１０Ａ及び１０Ａ’に接着するか、又はガラスの上部部材１０Ａ及び１０Ａ’を定位置に摩擦保持するように構成されている。ブラケット１９１は、ブラケット１９１に配置された開口１９３を通して開口１２３Ａにおいて、上部支持アーム９Ａの上面１１５Ａに締結している。ブラケット１９１は、正方形の開口１９４をさらに含んでいる。図５４に示される例では、パッドブラケット１９２は、ブラケット１９１及びパッドブラケット１９２と上部支持部材９Ａとの適切な位置合わせを確実にするように、ブラケット１９１の正方形の開口１９４、さらには上部支持部材９Ａの上面１１５Ａにある開口１２４Ａにも係合する正方形のフランジ１９５を含んでいる。
【００３６】
図５２、図５３、及び図５５は、概して、本発明のガラスの上部の実施形態２Ａを示しており、同様の部品が図１及び図２に見られる。図５２に示される例では、Ｚ字型のブラケット１３４Ａは、上部部材１０の長さに沿って水平方向に延びている。ブラケット１３４Ａは、当該技術分野で既知である工業用接着剤によって上部部材１０Ａの底面１３１Ａに接着され、第１の側部レール部材５Ａ及び第２の側部レール部材６Ａの上部壁９３Ａにあるフランジ１００Ａによって形成されたチャネル１０１Ａに係合するように設計されている。図５３及び図５５は、完全に組み立てられた、上部がガラスであるテーブル２Ａを示している。
【００３７】
図５６及び図５７は、全体的に本発明の別の実施形態２Ｂを示しており、同様の部品が図１、図２、図３８、及び図４２に見られ、したがって、図５６及び図５７の参照符号における接尾辞「Ｂ」を除いて、対応する同じ参照符号によって表されている。図５６及び図５７は、全体的に、第１の端部脚部材３Ｂ及び第２の端部脚部材４Ｂを有する、図６９に示されるようなガラス、プラスチック、又は他の同様の透明材の上部のためのテーブルフレーム７Ｂを示している。本発明のこの実施形態では、第１の側部レール部材５Ｂ及び第２の側部レール部材６Ｂは、端部レール部材１９Ｂと概ね同じ長さである。したがって、テーブルフレーム７Ｂは、ユーティリティモジュール部材１１Ｂを嵌めるための概して正方形の窓８Ｂを有している。また、この実施形態では、脚部材１５Ｂ及び上部支持アーム２７Ｂは、端部レール部材１９Ｂと第１の側部レール部材５Ｂ及び第２の側部レール部材６Ｂとから約１３５度の角度を成している。図５６及び図５７に示される例は、図６８に示されるような木又は他の同様の材料から成る上部部材を支持するように適合することもできる。
【００３８】
図５８〜図６２は、全体的に、木又は同様の材料から成ると共に図２に示される部品と同様の部品を有する、しっかりした上部部材１０及び１０’を含む本発明の他の実施形態を示している。したがって、図２及び図５８〜図６２それぞれに見られる同様の部品は、図５８〜図６２の符号における接尾辞「Ｃ」を除いて、対応する同じ参照符号によって表されている。詳細には、図５８は、第１の端部脚部材３Ｃと第２の端部脚部材４Ｃとの間に配置された第３の中間脚部材２００を有する細長いテーブルを示している。この実施形態では、上部部材１０Ｃ及び１０Ｃ’は、複数の作業ステーションを１つのテーブル構造２Ｃにおいて支持するのに５メートルの長さまで伸ばすことができる。図５９は、本発明の別の実施形態を示しており、この実施形態では、上部部材１０Ｃ及び１０Ｃ’は、さらに別の構成を有するテーブルを形成するように弓形状の外縁１３３Ｃを有している。図６０は、概して正方形の表面を有するテーブル構造を形成するように、図２及び図５８に記載された上部部材よりも長さが短い上部部材１０Ｃ及び１０Ｃ’を有している。図６１は、外縁１３３Ｃを有する上部部材１０Ｃ及び１０Ｃ’を有しており、上部部材１０Ｃ及び１０Ｃ’は、したがって、概して楕円形の細長いテーブルの構成を有するように湾曲している。図６２は、概して円形の作業表面を有するテーブル構造を示すように、湾曲した外縁１３３Ｃを有する上部部材１０Ｃ及び１０Ｃ’を有している。
【００３９】
図６３〜図６７は、図５８〜図６２に見られる同様の部品を有しており、したがって、接尾辞「Ｄ」が図６３〜図６７の符号に用いられることを除いて、対応する同じ参照符号によって表されている。図６３〜図６７は、全体的に、ガラス製の上部部材１０Ｄ及び１０Ｄ’を有するテーブル構造２Ｄを示している。詳細には、図６３は、第１の端部脚部材３Ｄと第２の端部脚部材４Ｄとの間に配置された第３の中間脚部材２００Ｄを有する細長いテーブルを示している。この実施形態では、上部部材１０Ｄ及び１０Ｄ’は、複数の作業ステーションを１つのテーブル構造２Ｃにおいて支持するのに５メートルの長さまで伸ばすことができる。図６４は、本発明の別の実施形態を示しており、この実施形態では、上部部材１０Ｄ及び１０Ｄ’は、さらに別の構成を有するテーブルを形成するように弓形状の外縁１３３Ｄを有している。図６５は、実質的に正方形の表面を有するテーブル構造を形成するように、図２及び図５８に記載される上部部材よりも長さが短い上部部材１０Ｄ及び１０Ｄ’を有している。図６６は、外縁１３３Ｄを有する上部部材１０Ｄ及び１０Ｄ’を有しており、上部部材１０Ｄ及び１０Ｄ’は、したがって、概して楕円形の細長いテーブルの構成を有して湾曲している。図６７は、概して円形の作業表面を有するテーブル構造を示すように、湾曲した円形の外縁１３３Ｄを有する上部部材１０Ｄ及び１０Ｄ’を有している。
【００４０】
図６８及び図６９は、図３及び図５８〜図６２に見られる同様の部品を有しており、したがって、接尾辞「Ｅ」が図６８及び図６９の符号に用いられることを除いて、対応する同じ参照符号によって表されている。図６８に示される例は、全体的に、図５６及び図５７の例に示されるテーブルフレームのようなテーブルフレームによって支持された木又は他の同様の材料から成る上部部材１０Ｅ及び１０Ｅ’を有するテーブル構造２Ｅを示している。図６９に示される例は、全体的に、図５６及び図５７の例に示されるテーブルフレームのようなテーブルフレームによって支持されたガラス、プラスチック、又は他の同様の透明材から成る上部部材１０Ｅ及び１０Ｅ’を有するテーブル構造２Ｅを示している。
【００４１】
図７０及び図７１は、図３及び図５８〜図６２に見られる同様の部品を有しており、したがって、接尾辞「Ｆ」が図７０及び図７１の符号に用いられることを除いて、対応する同じ参照符号によって表されている。図７０及び図７１は、全体的に、木及びガラスのそれぞれから、又は他の同様の材料から成る一体型の上部部材１０Ｆを有するテーブル構造２Ｆを示している。詳細には、図７０は、全体的に、図５６及び図５７の例に示されるテーブルフレームのようなテーブルフレームによって支持された木又は他の同様の材料から成る一体型の上部部材１０Ｆを有するテーブル構造２Ｆを示している。図７０に示される実施形態は、上部部材１０Ｆから構成された一続きの作業表面を形成するために、ユーティリティトラフを含んでいない。図７１は、全体的に、図５６及び図５７の例に示されるテーブルフレームのようなテーブルフレームによって支持されたガラス、プラスチック、又は他の同様の材料から成る一体型の上部部材１０Ｆを有するテーブル構造２Ｆを示している。図７０に示される実施形態は、上部部材１０Ｆから構成された一続きの作業表面を形成するために、ユーティリティトラフを含んでいない。
【００４２】
本発明は、テーブルフレームを有しないで構成することもでき、これによって、脚部材が、図７２に示された例に示されるように、上部部材に直接取り付けられている。図７２及び図７３は、図８、図１１、図５６、図５７、及び図７０に見られる同様の部品を有しており、したがって、接尾辞「Ｇ」が図７２及び図７３の符号に用いられることを除いて、対応する同じ参照符号によって表されている。図７３に示される例は、全体的に、上部支持アーム２７Ｇに接続されている脚部材１５Ｇを示している。プレート２０１が、（図示しない）開口３１Ｇにおいて、上部支持アーム２７Ｇの外側部分２８Ｇで上部支持アーム２７Ｇに接続されている。プレート２０１はまた、（図示しない）三方コネクタブロック１８Ｇの内部に面した（図示しない）壁３８Ｇに接続されている。プレート２０１を用いて、上部支持アーム２７Ｇに接続されている独立型の脚部材１５Ｇを、プレート２０１に配置されている開口２０２を通した（図示しない）締結具によって、上部部材１０Ｇに接続している。図７２は、全体的に、プレート２０１において、上部部材１５Ｇに直接接続されている独立型の脚部材１５Ｇから構成されたテーブル構造２Ｇを示している。テーブル構造２Ｇはまた、図７２に示されるように、上部部材１０Ｇの中央に配置されていると共に上部部材１０Ｇに直接取り付けられている任意選択の電源ボックス２０３も含むことができる。
【００４３】
上記の記載は、好ましい実施形態として考慮されるものにすぎない。本発明の変更形態は、当業者又は本発明を行うか若しくは本発明を用いる者には想起されるだろう。したがって、図面に示されていると共に上記に記載されている実施形態は、例示を目的とするものでしかなく、均等論をはじめ、特許法の原理に従って解釈されるように、以下の特許請求の範囲によって規定される本発明の範囲を限定するように意図されていないことが理解される。
【図１】
2010528721.tif 000003
【図２】
2010528721.tif 000004
【図３】
2010528721.tif 000005
【図４】
2010528721.tif 000006
【図５】
2010528721.tif 000007
【図６】
2010528721.tif 000008
【図７】
2010528721.tif 000009
【図８】
2010528721.tif 000010
【図９】
2010528721.tif 000011
【図１０】
2010528721.tif 000012
【図１１】
2010528721.tif 000013
【図１２】
2010528721.tif 000014
【図１３】
2010528721.tif 000015
【図１４】
2010528721.tif 000016
【図１５】
2010528721.tif 000017
【図１６】
2010528721.tif 000018
【図１７】
2010528721.tif 000019
【図１８】
2010528721.tif 000020
【図１９】
2010528721.tif 000021
【図１９Ａ】
2010528721.tif 000022
【図１９Ｂ】
2010528721.tif 000023
【図２０】
2010528721.tif 000024
【図２１】
2010528721.tif 000025
【図２２】
2010528721.tif 000026
【図２３】
2010528721.tif 000027
【図２４】
2010528721.tif 000028
【図２５】
2010528721.tif 000029
【図２６】
2010528721.tif 000030
【図２７】
2010528721.tif 000031
【図２８】
2010528721.tif 000032
【図２９】
2010528721.tif 000033
【図３０】
2010528721.tif 000034
【図３１】
2010528721.tif 000035
【図３２】
2010528721.tif 000036
【図３３】
2010528721.tif 000037
【図３４】
2010528721.tif 000038
【図３５】
2010528721.tif 000039
【図３６】
2010528721.tif 000040
【図３７】
2010528721.tif 000041
【図３８】
2010528721.tif 000042
【図３９】
2010528721.tif 000043
【図４０】
2010528721.tif 000044
【図４１】
2010528721.tif 000045
【図４２】
2010528721.tif 000046
【図４３】
2010528721.tif 000047
【図４４】
2010528721.tif 000048
【図４４Ａ】
2010528721.tif 000049
【図４４Ｂ】
2010528721.tif 000050
【図４４Ｃ】
2010528721.tif 000051
【図４４Ｄ】
2010528721.tif 000052
【図４５】
2010528721.tif 000053
【図４６】
2010528721.tif 000054
【図４７】
2010528721.tif 000055
【図４８】
2010528721.tif 000056
【図４９】
2010528721.tif 000057
【図５０】
2010528721.tif 000058
【図５１】
2010528721.tif 000059
【図５２】
2010528721.tif 000060
【図５３】
2010528721.tif 000061
【図５４】
2010528721.tif 000062
【図５４Ａ】
2010528721.tif 000063
【図５５】
2010528721.tif 000064
【図５６】
2010528721.tif 000065
【図５７】
2010528721.tif 000066
【図５８】
2010528721.tif 000067
【図５９】
2010528721.tif 000068
【図６０】
2010528721.tif 000069
【図６１】
2010528721.tif 000070
【図６２】
2010528721.tif 000071
【図６３】
2010528721.tif 000072
【図６４】
2010528721.tif 000073
【図６５】
2010528721.tif 000074
【図６６】
2010528721.tif 000075
【図６７】
2010528721.tif 000076
【図６８】
2010528721.tif 000077
【図６９】
2010528721.tif 000078
【図７０】
2010528721.tif 000079
【図７１】
2010528721.tif 000080
【図７２】
2010528721.tif 000081
【図７３】
2010528721.tif 000082
【手続補正書】
【提出日】平成22年2月2日(2010.2.2)
【手続補正１】
【補正対象書類名】特許請求の範囲
【補正対象項目名】全文
【補正方法】変更
【補正の内容】
【特許請求の範囲】
【請求項１】
オフィス等のためのテーブルであって、
横方向に離間した関係で配置されると共に床面上に当接して支持されるように構成された第１の端部脚部材及び第２の端部脚部材と、
横方向に離間した関係で配置されると共にテーブルフレームを画定するように前記第１の端部脚部材及び前記第２の端部脚部材と動作可能に接続された対向する端部部分を有する第１の側部レール部材及び第２の側部レール部材であって、それぞれが、それらの内側部分に沿って内方に突出したレッジを含む第１の側部レール部材及び第２の側部レール部材と、
前記テーブルフレーム上に支持されると共にこれと動作可能に接続された上部部材と、
前記上部部材に沿って概して中央に位置付けられると共に異なるユーザに対応するために前記テーブルに取り外し可能に支持されるように前記第１の側部レール部材及び前記第２の側部レール部材の前記内方に突出したレッジに当接して支持された対向する側面を有するトラフ部材と
を備えるテーブル。
【請求項２】
前記トラフ部材は、前記第１の側部レール部材及び前記第２の側部レール部材の前記内側部分間に架かり、該内側部分間に確実に捕捉される、請求項１に記載のテーブル。
【請求項３】
前記レッジは、前記第１の側部レール部材及び前記第２の側部レール部材の前記内側部分に沿って下方且つ内方に延びる角度付けしたフランジを含む、請求項１に記載のテーブル。
【請求項４】
前記トラフ部材は、角度付けした縁部を有する直立した側壁を含み、前記縁部は、前記第１のレール部材及び前記第２のレール部材の前記レッジと押込み噛み合いをして前記トラフ部材を前記テーブルフレームの前記窓内に横方向に捉える、請求項１に記載のテーブル。
【請求項５】
複数の締結具を含み、該締結具は、前記トラフ部材に取り付けられると共に、前記第１の側部レール部材及び前記第２の側部レール部材の隣接した部分に当接して係合して、前記トラフ部材を前記テーブルフレームの前記窓内に垂直方向に捕捉するように位置付けられる、請求項１に記載のテーブル。
【請求項６】
前記トラフ部材は、前記上部部材に沿って作業エリアを個人仕様にするために、様々なアクセサリを内部に着脱可能に取り付けるように構成された少なくとも１つの上が開いたチャネルを含む、請求項１に記載のテーブル。
【請求項７】
前記第１の側部レール部材及び前記第２の側部レール部材は、それらの外側部分に沿って、前記第１の側部レール部材及び前記第２の側部レール部材の上部部分に沿って延びる上が開いた第１のチャネルと、前記第１の側部レール部材及び前記第２の側部レール部材の底部部分に沿って延びる下が開いた第２のチャネルとを含み、
複数の上部支持部材は、該上部支持部材を前記第１の側部レール部材及び前記第２の側部レール部材に着脱可能に取り付けるように、該第１の側部レール部材及び該第２の側部レール部材上の前記第１のチャネル及び前記第２のチャネル内に収納されて保持される第１のタブ及び第２のタブを有する、請求項１に記載のテーブル。
【請求項８】
前記第１の側部レール部材及び前記第２の側部レール部材は、それらの前記内側部分に隣接して前記第１の側部レール部材及び前記第２の側部レール部材の上部部分に沿って延びる外方に開いたチャネルを含み、
前記上部部材は、その内縁に沿って配置されると共に該上部部材の少なくとも一部を前記テーブルフレームに取り外し可能に接続するように前記外方に開いたチャネル内に密接して収納される内方に突出したタブを含む、請求項１に記載のテーブル。
【請求項９】
前記第１の側部レール部材及び前記第２の側部レール部材は、概して中空の内部を有し、前記第１の側部レール部材及び前記第２の側部レール部材の前記対向する端部部分を前記第１の端部脚部材及び前記第２の端部脚部材に取り付けやすくするように、前記第１の側部レール部材及び前記第２の側部レール部材の前記内側部分に沿って延びる少なくとも１つの位置合わせチャネルを含む、請求項１に記載のテーブル。
【請求項１０】
前記上部部材は、内縁部が前記テーブルフレームの前記窓に沿って配置された複数のパネルを含む、請求項１に記載のテーブル。
【請求項１１】
前記トラフ部材内に収納及び保持された少なくとも１つの電力モジュールを含む、請求項１に記載のテーブル。
【請求項１２】
前記トラフ部材内に収納及び保持された少なくとも１つの通信モジュールを含む、請求項１に記載のテーブル。
【請求項１３】
前記上部支持部材は、前記第１の側部レール部材及び前記第２の側部レール部材の外側部分に接続されると共にそこから外方に延びる、請求項７に記載のテーブル。
【請求項１４】
前記上部支持部材は、前記第１の側部レール部材及び前記第２の側部レール部材の外側部分と着脱可能に接続される、請求項７に記載のテーブル。
【請求項１５】
オフィス等のためのテーブルであって、
概して平行に且つ横方向に離間した関係で配置されると共に概して直立した向きで床面上に当接して支持されるように構成された第１の端部脚部材及び第２の端部脚部材と、
第１の側部レール部材及び第２の側部レール部材であって、概して平行に且つ横方向に離間した関係で配置されると共に、前記第１の端部脚部材及び前記第２の端部脚部材を前記概して直立した向きで剛性保持するように、該第１の端部脚部材及び該第２の端部脚部材の上側部分と動作可能に接続された対向する端部部分を有し、前記第１の側部レール部材と前記第２の側部レール部材との間に中間ブレースを伴わずに、垂直方向に延びる中央の窓がある状態で、堅い自立型のテーブルフレームを画定する、第１の側部レール部材及び第２の側部レール部材と、
前記第１の側部レール部材及び前記第２の側部レール部材と動作可能に接続されると共に、そこから片持ち梁式に外方に突出する複数の上部支持部材と、
前記テーブルに沿って複数の作業ステーションを画定するように、前記テーブルフレーム及び前記上部支持部材の少なくとも一方の上に支持されると共にこれらと動作可能に接続される上部部材と、
ユーティリティモジュール部材であって、前記作業ステーションへユーティリティを送りやすくするように構成されており、前記テーブルフレームの前記窓内に位置付けられ、且つ前記ユーティリティモジュール部材を前記テーブルフレームに取り外し可能に取り付けることによって前記作業ステーションにおいて様々な異なるユーティリティ要件に対応するように前記第１の側部レール部材及び前記第２の側部レール部材に当接して支持された対向する側面を有するユーティリティモジュール部材と
を備えるテーブル。
【国際調査報告】
2010528721.tif 000083
2010528721.tif 000084